(57)【特許請求の範囲】
【請求項１】
通液性を有した供試体に含有される気体を採取するための採取装置であって、該採取装置は、供試体の一端から液体を供給するための液体供給手段と、供試体の他端に面接触させて供試体の他端から染み出た気体泡まつが混在する泡まつ混在液体を採取するための採取用セルと、該採取用セルで採取された泡まつ混在液体を気液分離して気体を回収する気体回収装置とを備え、前記採取用セルには、供試体他端との接触面に形成され、前記染み出た泡まつ混在液体を捕捉誘導する捕捉誘導溝と、該捕捉誘導溝に接続された採取路とが形成され、該採取路に達した泡まつ混在液体から前記気液分離して気体が回収されることで気体の採取をするように構成したことを特徴とする気体の採取装置。
【請求項２】
請求項１において、採取用セルと供試体他端とのあいだに親液性シートが介在していることを特徴とする気体の採取装置。
【請求項３】
請求項１または２の何れかにおいて、供試体はサンプリングされた土質試料であることを特徴とする気体の採取装置。
【請求項４】
液体の供給で通液性を有した供試体から染み出た気体泡まつが混在する泡まつ混在液体を、気体回収装置で気液分離した気体を回収して採取するための採取用セルであって、該採取用セルには、供試体に面接触する接触面と、該接触面に染み出た泡まつ混在液体を捕捉誘導する捕捉誘導溝と、該捕捉誘導溝に接続された採取路とが形成され、該採取路に達した泡まつ混在液体を前記気体回収装置に誘導するように構成したことを特徴とする気体採取用セル。
【請求項５】
請求項４において、採取用セルは平板材であることを特徴とする気体採取用セル。
【請求項６】
請求項５において、平板材は、一側面が供試体の接触面であり、採取路は、前記一側面から他側面に設けられた採取孔であることを特徴とする気体採取用セル。
【請求項７】
請求項４乃至６の何れか一つにおいて、採取用セルは、採取路が供試体接触面の中心に形成されているものであることを特徴とする気体採取用セル。
【請求項８】
請求項４乃至７の何れか一つにおいて、採取用セルは、採取路が供試体接触面の中心から等距離の位置に等角度ピッチで複数形成されているものであることを特徴とする気体採取用セル。
【請求項９】
請求項４乃至８の何れか一つにおいて、捕捉誘導溝は、採取路を基準として放射状に複数形成されていることを特徴とする気体採取用セル。
【請求項１０】
請求項４乃至９の何れか一つにおいて、捕捉誘導溝は、放射状の本流溝と、該本流溝から分岐される支流溝とで形成されていることを特徴とする気体採取用セル。
【請求項１１】
請求項１０において、本流溝は直線状であり、支流溝は本流溝を対称線として線対称に形成されていることを特徴とする気体採取用セル。
【請求項１２】
請求項１０または１１において、支流溝は直線であることを特徴とする気体採取用セル。
【請求項１３】
請求項１０または１１において、支流溝は、採取路を中心とする円弧であることを特徴とする気体採取用セル。
【請求項１４】
通液性を有した供試体に含有する気体を採取するための採取方法であって、該採取方法は、供試体の一端から液体を供給することで供試体の他端から染み出た気体泡まつが混在する泡まつ混在液体を、供試体に面接触する採取用セルの該接触面に形成した捕捉誘導溝で捕捉して該捕捉誘導溝に接続される採取路に誘導し、該採取路に至った泡まつ混在液体を気体回収装置で気液分離して気体を回収することで気体の採取をするようにしたことを特徴とする気体の採取方法。
【請求項１５】
請求項１４において、気体採取用セルと供試体とのあいだに親液性シートが介在されていることを特徴とする気体の採取方法。
【請求項１６】
請求項１４または１５の何れかにおいて、供試体はサンプリングされた土質試料であることを特徴とする気体の採取方法。
【発明の詳細な説明】
【技術分野】
【０００１】
本発明は、特に微量の気体を含む土壌から成形された供試体等の通液性を有した各種供試体に含有する気体の採取装置、気体採取用セルおよび気体の採取方法の技術分野に属するものである。
【背景技術】
【０００２】
今日、土壌等の被検体中に含有する気体（ガス）を採取（採集、採取）し、該採取した気体に含まれる成分の分析をすることが要求される場合がある。そしてこのような要求例としては、石油や天然ガスの鉱床あるいは地下熱水地帯などの発見、また土壌汚染（環境汚染）の汚染度などの探査があげられる。このような土壌中に含有する気体の採取方法として、予め土壌に穿った採取用孔に採取用管を挿入し、土壌から染み出て採取用孔内に溜まった気体を該採取用管を通して採取するようにしたものが従来から知られている（例えば特許文献１〜４）。
【特許文献１】特開平５−１０９３５号公報
【特許文献２】特開平１１−３７９９５号公報
【特許文献３】特開２００４−１８４１０５号公報
【特許文献４】特開２００４−２２６３２６号公報
【発明の開示】
【発明が解決しようとする課題】
【０００３】
ところで前記採取用孔に染み出た気体を採取するものでは、採取用孔を形成する際に侵入した外気や深さの異なる土壌から染み出た気体が混じり合ったりするため、精度のよい気体採取ができないだけでなく、土壌中に含有する気体が微量であって土壌から染み出させづらいような場合には気体採取が事実上できないという問題があり、ここに本発明が解決しようとする課題がある。
【課題を解決するための手段】
【０００４】
本発明は、上記の如き実情に鑑みこれらの課題を解決することを目的として創作されたものであって、請求項１の発明は、通液性を有した供試体に含有される気体を採取するための採取装置であって、該採取装置は、供試体の一端から液体を供給するための液体供給手段と、供試体の他端に面接触させて供試体の他端から染み出た気体泡まつが混在する泡まつ混在液体を採取するための採取用セルと、該採取用セルで採取された泡まつ混在液体を気液分離して気体を回収する気体回収装置とを備え、前記採取用セルには、供試体他端との接触面に形成され、前記染み出た泡まつ混在液体を捕捉誘導する捕捉誘導溝と、該捕捉誘導溝に接続された採取路とが形成され、該採取路に達した泡まつ混在液体から前記気液分離して気体が回収されることで気体の採取をするように構成したことを特徴とする気体の採取装置である。
請求項２の発明は、請求項１において、採取用セルと供試体他端とのあいだに親液性シートが介在していることを特徴とする気体の採取装置である。
請求項３の発明は、請求項１または２の何れかにおいて、供試体はサンプリングされた土質試料であることを特徴とする気体の採取装置である。
請求項４の発明は、液体の供給で通液性を有した供試体から染み出た気体泡まつが混在する泡まつ混在液体を、気体回収装置で気液分離した気体を回収して採取するための採取用セルであって、該採取用セルには、供試体に面接触する接触面と、該接触面に染み出た泡まつ混在液体を捕捉誘導する捕捉誘導溝と、該捕捉誘導溝に接続された採取路とが形成され、該採取路に達した泡まつ混在液体を前記気体回収装置に誘導するように構成したことを特徴とする気体採取用セルである。
請求項５の発明は、請求項４において、採取用セルは平板材であることを特徴とする気体採取用セルである。
請求項６の発明は、請求項５において、平板材は、一側面が供試体の接触面であり、採取路は、前記一側面から他側面に設けられた採取孔であることを特徴とする気体採取用セルである。
請求項７の発明は、請求項４乃至６の何れか一つにおいて、採取用セルは、採取路が供試体接触面の中心に形成されているものであることを特徴とする気体採取用セルである。
請求項８の発明は、請求項４乃至７の何れか一つにおいて、採取用セルは、採取路が供試体接触面の中心から等距離の位置に等角度ピッチで複数形成されているものであることを特徴とする気体採取用セルである。
請求項９の発明は、請求項４乃至８の何れか一つにおいて、捕捉誘導溝は、採取路を基準として放射状に複数形成されていることを特徴とする気体採取用セルである。
請求項１０の発明は、請求項４乃至９の何れか一つにおいて、捕捉誘導溝は、放射状の本流溝と、該本流溝から分岐される支流溝とで形成されていることを特徴とする気体採取用セルである。
請求項１１の発明は、請求項１０において、本流溝は直線状であり、支流溝は本流溝を対称線として線対称に形成されていることを特徴とする気体採取用セルである。
請求項１２の発明は、請求項１０または１１において、支流溝は直線であることを特徴とする気体採取用セルである。
請求項１３の発明は、請求項１０または１１において、支流溝は、採取路を中心とする円弧であることを特徴とする気体採取用セルである。
請求項１４の発明は、通液性を有した供試体に含有する気体を採取するための採取方法であって、該採取方法は、供試体の一端から液体を供給することで供試体の他端から染み出た気体泡まつが混在する泡まつ混在液体を、供試体に面接触する採取用セルの該接触面に形成した捕捉誘導溝で捕捉して該捕捉誘導溝に接続される採取路に誘導し、該採取路に至った泡まつ混在液体を気体回収装置で気液分離して気体を回収することで気体の採取をするようにしたことを特徴とする気体の採取方法である。
請求項１５の発明は、請求項１４において、気体採取用セルと供試体とのあいだに親液性シートが介在されていることを特徴とする気体の採取方法である。
請求項１６の発明は、請求項１４または１５の何れかにおいて、供試体はサンプリングされた土質試料であることを特徴とする気体の採取方法である。
【発明の効果】
【０００５】
請求項１または１４の発明にすることで、供試体中に含まれる微量の気体を、他部位の気体が混合することなく供試体から確実に採取することができる。
請求項２または１５の発明にすることで、供試体に含有する気体を、親液性シートを介して泡まつ混在液体とした状態で採取用セルの捕捉誘導溝に捕捉されることになって捕捉性能が向上する。
請求項３または１６の発明にすることで、土質試料に含まれる気体微量であっても確実に気体の採取をすることができる。
請求項４の発明にすることで、供試体に含有される気体を、採取用セルを用いて効率よく捕捉誘導して採取することができる。
請求項５の発明にすることで、供試体と気体用採取セルとの接触が平滑な面となって供試体全体から泡まつ混在液体の染み出しが達成できる。
請求項６の発明にすることにより、採取路は、一側面から他側面に至る貫通した孔でよいことになって加工が簡単になる。
請求項７、８または９の発明にすることにより、気体の均質的な採取ができることになる。
請求項１０の発明にすることにより、より効率のよい気体採取ができる。
請求項１１、１２または１３の発明にすることにより、さらに効率のよい気体採取ができる。
【発明を実施するための最良の形態】
【０００６】
次に、本発明の実施の形態について、図面を用いて説明する。図面において、１は供試体Ｓに含有される気体を採取するための採取装置であって、該採取装置１は、基台１ａに加圧用の容器２が支持されているが、該容器２には水が注入されており、容器２に設けられる水の排出路２ａを封止する状態で水の供給路２ｂから圧力を加えることで容器２内の圧力を調節できるようになっている。
【０００７】
前記容器２の底部２ｃにはペデスタル３が設けられ、該ペデスタル３上に、気体の採取用セル４が配設されている。この採取用セル４は、中央部（中心部）の表面（上面（一側面）であって本発明の接触面に相当する）から裏面（下面（他側面））に至るべく貫通した採取孔５が穿設された円盤状の平板材（例えば、アクリル板）で形成され、その表面に捕捉誘導溝６が刻設されているが、その詳細は後述する。そしてこの採取用セル４の上面に、ろ紙（本発明の親液性シートに相当する）７を介在する状態で円柱状に整形された前記供試体（後述するように、サンプリングした土質試料）Ｓの底面（他端）が載せられ、さらに該供試体Ｓの上面（一端）にキャップ８が載せられる。そして前記ペデスタル３の上半部、供試体Ｓ全体、さらにキャップ８の下半部の外周面には供試体Ｓの崩壊（崩落）の防止および供試体Ｓを透過あるいは染み出す気体や水の散逸を防止するための防止部材９が被着されているが、防止部材９の材質としては、例えば延び弾性の小さいシリコーンチューブ等を挙げることができる。
前記キャップ８には液体流路１０が設けられ、該液体流路１０から水等の液体が供試体Ｓに加圧供給されるようになっている。
【０００８】
１１は前記キャップ８を加圧するための加圧装置であって、該加圧装置１１は、キャップ８の上面に下端が当接する加圧棒１２を備えて構成されるが、該加圧棒１２はベアリング１３により回動自在に容器天井板２ｄに支持されていると共に、クランプ１４によって回動を制御できるようになっている。加圧棒１２には荷重計１５および外部変位計１６が設けられるが、さらに加圧棒１２の上端部は載荷装置１７に連結されている。載荷装置１７は、電動モーター１８の駆動によりべべルギア機構１９を回転させ、これによって加圧棒１２を押し出してキャップ８の加圧をするようになっている。
【０００９】
前記供試体Ｓは、例えばある地域の土壌試料（例えば、泥岩）について、一辺が５００ｍｍの立方体の大きさでサンプリングし、これを整形して高さ５０ｍｍ、直径５０ｍｍの前記円柱状の供試体Ｓを製作する。また前記採取用セル４は、直径が前記供試体Ｓと同じ長さの平板円盤状であり、その中心に採取孔５が供試体Ｓの接触面である上面４ａから下面４ｂに至るよう貫通して形成されている。一方、上面４ａに刻設され、採取孔５の始端５ａに接続する捕捉誘導溝６は、採取孔５を中心として複数本（本実施の形態では８本）が放射状に設けられている。採取孔５の径、ならびに捕捉誘導溝６の太さ、深さおよび長さは供試体Ｓから染み出てくる気体泡まつが混在する液体、つまり泡まつ混在液体の量によって適宜調節されるものである。また、捕捉誘導溝６の溝形状はＶ字形が好ましいがこれに限定されるものでなく、半円形、Ｕ字形等、必要において適宜の形状とすることができる。一方、採取孔５の終端部５ｂは、前記始端５ａよりも大径になっていて、該大径部位に採取用の筒体（キャピラリー）２０が止着されている。この筒体２０は、前記ペデスタル３を貫通し、さらに容器２外に誘導されるように構成している。
【００１０】
前記容器２外に誘導された筒体２０は、さらに気体回収装置２１に誘導されるが、該気体回収装置２１は、例えば液体を充填した液体容器（例えば、ビーカー）２２に回収容器（例えば、試験管）２３を倒立させたものとし、この回収容器２３に筒体２０の先端を誘導するようにして構成される。そして前記供試体Ｓから染み出てきた泡まつ混在液体を回収容器２３に供給することで気液分離がなされ、前記泡まつ混在液体中の気体の採取ができるようになっている。
【００１１】
尚、上記採取装置１および気体回収装置２１において用いされる液体としては、採取しようとする気体が炭酸ガス（ＣＯ２）のように水溶性ではあるが有機溶剤には難溶性であるような場合には、シクロヘキサン等の極性のない有機溶剤を用いることができ、メタンガス（ＣＨ４）や四塩化炭素（ＣＣｌ４）のように水には溶けないが有機溶剤には溶けるものである場合には水のように極性の大きい液体を用いることができ、これら液体は採取しようとする気体によって適宜選択されることになる。さらに液体容器２２に充填する液体のなかには水銀（Ｈｇ）を採用することもできる。
【００１２】
叙述のごとく構成された本発明の実施の形態において、供試体Ｓを、採取用セル４、ろ紙７が載置されたペデスタル３とキャップ８とのあいだにセット（防止部材９も被着しておく）し、容器２に水を充填した状態にして電動モーター１８を駆動してキャップ８を軽く加圧状態にする。そして前記のようにセットされた供試体Ｓに対して液体流路１０から液体を供給すると、該供給される液体は供試体Ｓを透過することになるが、該透過する液体は、透過の過程で供試体Ｓに含有される気体を泡まつ状態にして含んだ泡まつ混在液体となって採取用セル４の捕捉誘導溝６に達し、そして採取孔５から筒体２０を経由して気体回収装置２１に達し、ここで気液分離されて気体の採取ができることになり、この採取した気体をシリンジ等の回収具を用いて回収し、必要に応じて容量の測定や適宜の分析装置による成分の分析ができることになる。
【００１３】
このように本発明が実施されたものにおいては、供試体Ｓに実際に含まれている気体を直接的に採取することができるため、従来の採取孔を穿設してここに染み出てくる気体を採取する場合のように、他部位の気体が混合してしまうことを回避して信頼性の高い気体採取ができる。しかもこの気体採取は、強制的に液体を供試体Ｓに透過させることで、該透過する液体が気体を泡まつ状に含んだ泡まつ混在液体となって採取用セル４で回収されるため、供試体Ｓに含有する気体が微量であっても確実な採取ができることになる。
【００１４】
しかもこれらのものでは、採取用セル４と供試体Ｓとのあいだに親液性シートであるろ紙７が有るため、前記供試体Ｓから染み出た泡まつ混在液体がろ紙７で広く拡散された状態で採取用セル４に達して捕捉誘導され、採取されることになる結果、捕捉誘導溝６のない部位に染み出た泡まつ混在液体も確実に捕捉されることになって、採取効率が向上する。
【００１５】
そして供試体Ｓが土質試料である場合、前記捕捉した泡まつ混在液体に含まれる気体について量や成分を測定することで、供試体Ｓをサンプリングした箇所の土壌の性状等を知ることができる。
【００１６】
しかも前記採取用セル４は、板材を用い、その表面に捕捉誘導溝６を刻設すると共に、該捕捉誘導溝６に接続する採取孔５を表面から裏面に貫通するよう穿設することで簡単に形成できるため、低コストで提供できることになる。そしてこの採取用セル４は、供試体Ｓの接触面の中心に採取孔５が穿設され、該採取孔５に接続する状態で複数の捕捉誘導溝６が等角度ピッチで放射状に形成されているため、供試体Ｓから染み出た広い範囲の泡まつ混在液体を１箇所に集中させる状態で均質に採取できることになって、採取用セルを多数の採取孔を穿設しただけで、捕捉誘導溝がない構造にした場合のように、染み出た僅かな泡まつ混在液体が多数の採取孔に分散して採取されることになってこれらの寄せ集め採取が面倒、かつ、煩雑になってしまうことがない。
【００１７】
尚、本発明は前記実施の形態に限定されないものであることは勿論であって、供試体としては土質試料に限定されず、コンクリート、木材等、通液性を有した試料であれば適宜のものにおいて実施することができる。そして本発明は、気体含有量が僅かな供試体についても勿論であるが、透水係数の小さい供試体についても、該供試体に対して強制的に液体を透過させることで液体に含まれる気体の採取をすることができる。
【００１８】
さらにまた、前記採取用セルに形成される捕捉誘導溝については、供試体接触面からはみ出ないものであれば各種の形状にすることができることは勿論であり、例えば、図３に示す第二から第四の実施の形態のようにすることができる。つまり図３（Ａ）および（Ｂ）に示す第二および第三の実施の形態のものは、採取孔５が供試体接触面の中心Ｏから等距離の位置に、何れも等角度である１８０度ピッチ、あるいは１２０度ピッチで２個または３個形成されたものである。また図３（Ｃ）に示す第四の実施の形態のものは、採取孔５が９０度ピッチで４個形成されると共に、さらに供試体接触面の中心に採取孔５が形成されたものである。そしてこのようにすることで、複数個の採取孔５があることにより寄せ集め採取の手間がかかるが、採取孔の数としては少ないため殆んど問題になることはなく、より迅速で効率のよい気体の採取ができる。
【００１９】
さらにまた、捕捉誘導溝としては、図４（Ａ）〜（Ｄ）、図５（Ａ）〜（Ｄ）、図６（Ａ）〜（Ｄ）および図７（Ａ）〜（Ｄ）に示す第五〜第二十の実施の形態のようにすることもできる。これらのものは採取孔５と捕捉誘導路の形状のみを図示するものであるが、図４に示す第五〜第八の実施の形態のものは、捕捉誘導路が、採取孔５に接続される本流溝６ａと該本流溝６ａから分岐される支流溝６ｂとで形成されたものであり、このうち第五および第六の実施の形態のものは、直線状の支流溝６ｂが、本流溝６ａを対称線として線対象に分岐したもの（図４（Ａ）および（Ｂ）参照）であり、また第七の実施の形態のものは、直線状の支流溝６ｂが本流溝６ａから交互に分岐形成されたもの（図４（Ｃ）参照）であり、第八の実施の形態のものは、本流溝６ａから交互に分岐形成される支流溝６ｂが、採取孔５を中心として円弧状に分岐形成されたもの（図４（Ｄ）参照）である。そしてこのように支流溝６ｂがあることで、染み出た気体をより広範囲においてより効率よく採取することができる。
【００２０】
さらにまた、渦巻状の捕捉誘導路６が採取孔５から複数形成された第九の実施の形態のもの（図５（Ａ）参照）、逆Ｌ字形の捕捉誘導路６が採集孔５から複数形成された第十の実施の形態のもの（図５（Ｂ）参照）、該逆Ｌ字形のものの中間位置に支流溝６ｂが形成された捕捉誘導路６が採取孔５から複数形成された第十一の実施の形態のもの（図５（Ｃ）参照）、クランク形状が角型となった捕捉誘導路６が採取孔５から複数形成された第十二の実施の形態のもの（図５（Ｄ）参照）、クランク形状が湾曲形となった捕捉誘導路６が採取孔５から複数形成された第十三の実施の形態のもの（図６（Ａ）参照）、個別に渦巻状になった捕捉誘導路６が採取孔５から複数形成された第十四の実施の形態のもの（図６（Ｂ）参照）、く字形をした捕捉誘導路６が採取孔５から複数形成された第十五の形態のもの（図６（Ｃ）参照）、Ｎ字形をした捕捉誘導路６の中心に採取孔５が位置する第十六の実施の形態のもの（図６（Ｄ）参照）、該Ｎ字形の折曲部が円弧状になった細い誘導路６の中心に採取孔５が位置する第十七の実施の形態のもの（図７（Ａ）参照）、Ｘ字形をした捕捉誘導路６の中心に採取孔５が位置する第十八の実施の形態のもの（図７（Ｂ）参照）、該Ｘ字形をした捕捉誘導路６の先端に折曲形成した支流溝６ｂが形成された第十九の実施のもの（図７（Ｃ）参照）、該湾曲したＸ字形の捕捉誘導路６の中心に採取孔５が位置する第二十の実施の形態のもの（図７（Ｄ）参照）等、各種の形状を必要において適宜採用することができる。
【図面の簡単な説明】
【００２１】
【図１】気体の採取装置の概略正面図である。
【図２】（Ａ）および（Ｂ）は第一の実施の形態の気体採取用セルの正面図および断面図である。
【図３】（Ａ）、（Ｂ）および（Ｃ）は第二、第三および第四の実施の形態の気体採取用セルの正面図である。
【図４】（Ａ）、（Ｂ）、（Ｃ）および（Ｄ）は第五、第六、第七および第八の実施の形態の気体採取用セルの採取孔と捕捉誘導路とを示す正面図である。
【図５】（Ａ）、（Ｂ）、（Ｃ）および（Ｄ）は第九、第十、第十一および第十二の実施の形態の気体採取用セルの採取孔と捕捉誘導路とを示す正面図である。
【図６】（Ａ）、（Ｂ）、（Ｃ）および（Ｄ）は第十三、第十四、第十五および第十六の実施の形態の気体採取用セルの採取孔と捕捉誘導路とを示す正面図である。
【図７】（Ａ）、（Ｂ）、（Ｃ）および（Ｄ）は第十七、第十八、第十九および第二十の実施の形態の気体採取用セルの採取孔と捕捉誘導路とを示す正面図である。
【符号の説明】
【００２２】
１    気体の採取装置
４    採取用セル
５    採取孔
６    捕捉誘導溝
６ａ  本流溝
６ｂ  支流溝
７    ろ紙
１０    液体流路
【図１】
0004555751.tif 000002
【図２】
0004555751.tif 000003
【図３】
0004555751.tif 000004
【図４】
0004555751.tif 000005
【図５】
0004555751.tif 000006
【図６】
0004555751.tif 000007
【図７】
0004555751.tif 000008